(57)【要約】【課題】  本発明は、高さ寸法を大きくすることなく、キートップ抜去時の第１レバーに形成した軸部を強度アップすることが可能なキーボードスイッチを提供すること。【解決手段】  本発明は、一端部側をベースプレート２に支持する第１、第２レバー４、５と、この第１、第２レバー４、５の他端部側に支持されて昇降自在のキートップ７と、このキートップ７を上方に弾性付勢する弾性部材６とを備え、第１レバー４の一端部側には、ベースプレート２に形成した係合部２ｂに係合支持可能な横長状の軸部４ｂが形成され、軸部４ｂは、横長方向の両端部が第１レバー４の一端部側に形成した一対の第１連結部４ｃに連結されると共に、少なくとも横長方向の中央部分が第１レバー４の一端部側に形成した第２連結部４ｄに連結されている。【選択図】        図２
2006092995.tif 000002
【特許請求の範囲】
【請求項１】
ベースプレートと、互いの交叉部位を回動自在に組み合わせた状態でそれぞれの一端部側を前記ベースプレートに支持する第１、第２レバーと、前記第１、第２レバーの他端部側に支持されて昇降自在のキートップと、このキートップを上方に弾性付勢する弾性部材とを備え、
前記第１レバーの前記一端部側には、前記ベースプレートに形成した係合部に係合支持可能な横長状の軸部が形成され、前記軸部は、横長方向の両端部が前記第１レバーの一端部側に形成した一対の第１連結部に連結されると共に、少なくとも横長方向の中央部分が前記一端部側に形成した第２連結部に連結されていることを特徴とするキーボードスイッチ。
【請求項２】
前記ベースプレートに形成した前記係合部は、前記第２連結部と前記第１連結部との間に位置する前記軸部の少なくとも２箇所を係合支持可能な形状に形成されていることを特徴とする請求項１記載のキーボードスイッチ。
【請求項３】
前記第１レバーは、外形が矩形状に形成された支持基部を有し、この支持基部の一端部側と前記第１、第２連結部に連結された前記軸部との間には、前記係合部を挿入して挿通可能な挿通孔が形成されていることを特徴とする請求項１、または２記載のキーボードスイッチ。
【請求項４】
前記係合部は、前記ベースプレートの一部を切り曲げて一方側が開放された形状で一対形成され、前記挿通孔を前記係合部の開放された一方側から挿通すると、前記軸部が前記一対の係合部の開放部分にそれぞれ係合すると共に、前記一対の係合部間に前記第２連結部が位置して、前記第１レバーの前記横長方向の動きが規制されることを特徴とする請求項２記載のキーボードスイッチ。
【発明の詳細な説明】
【技術分野】
【０００１】
本発明は、キーボード装置に用いられるキースイッチに係わり、特に一対のレバーでキートップを昇降自在に支持するキースイッチに関する。
【背景技術】
【０００２】
従来のキーボードスイッチ３１を、図４の斜視図に基づいて説明すると、最下部には、金属板からなるベースプレート３２が配設され、このベースプレート３２には、図示手前側にベースプレート３２の一部を所定高さで切り曲げ形成して、手前側が開放された第１係合部３２ａが設けられている。また、ベースプレート３２の奥側には、図示左右方向に所定の間隔を有して互いに対向する一対の第２係合部３２ｂが切り起こし形成されている。
前記第２係合部３２ｂは、図示奥側が開放されている。
【０００３】
前記ベースプレート３２上には、フィルムシート３３が載置され、このフィルムシート３３は、３枚のフィルムが積層されて、後述する弾性部材３６が配設された部分にスイッチ部（図示せず）が形成されている。
また、フィルムシート３３上には、パンタグラフ状に組み合わされた第１、第２レバー３４、３５が配設されている。
【０００４】
前記第１レバー３４には、外形が略矩形状の支持基部３４ａが形成されていると共に、支持基部３４ａの図示手前にベース部材３２の第１係合部３２ａに係合支持可能な横長状の軸部３４ｂが形成されている。
前記軸部３４ｂは、横長方向の両端部が連結部３４ｃ、３４ｃに連結されて第１レバー３４に一体化されている。
また、第１レバー３４は、支持基部３４ａの図示奥側の支持基部３４ａの左右側部から、一対の第１支持ピン３４ｄが図示左右方向の外向きに突出形成され、支持基部３４ａの図示左右の側部の略中央部付近には、連結ピン（図示せず）が外向きに突出形成されている。
また、支持基部３４ａの略中央部には、後述する弾性部材３６が位置可能な逃げ孔３４ｅが形成されている。
【０００５】
また、第２レバー３５は、第１レバー３４の外側に第１レバー３４を囲むような形状に形成され、第１レバー３４の支持基部３４ａの図示左右側部と対向する外側に一対の腕部３５ａ、３５ａが形成されている。
前記腕部３５ａの図示奥側には、ベースプレート３２の第２係合部３２ｂに係合支持可能な第２支持ピン３５ｂが、図示左右方向の外向きに突出形成されている。また、第２レバー３５は、図示手前側に、一対の腕部３５ａに接続して、一対の腕部３５ａを一体化する棒状の接続基部３５ｃが形成され、この接続基部３５ｃの長手方向の両端部から、図示左右方向にスライド軸３５ｄがそれぞれ突出形成されている。
【０００６】
また、第２レバー３５は、ベースプレート３２の第２係合部３２ｂに第２支持ピン３５ｂを係合支持すると、ベースプレート３２の一部に突き出し形成した抜け止め部（図示せず）によって第２支持ピン３５ｂが抜け止めされるようになっている。また、第２レバー３５の一対の腕部３５ａの長手方向の略中央部には、第１レバー３４の連結ピンが嵌合可能な嵌合孔（図示せず）が形成されている。
このような第１、第２レバー３４、３５は、連結ピンを嵌合孔に嵌合させて、パンタグラフ状に組み合わせた状態で、横長状の軸部３４ｂをベース部材３２の第１係止部３２ａに係合支持すると共に、第２支持ピン３５ｂをベース部材３２の第２係合部３２ｂに係合して抜け止め部で抜け止め可能になっている。
そして、軸部３４ｂおよび第２支持ピン３５ｂをベースプレート３２に支持すると、第１支持ピン３４ｄ側およびスライド軸３５ｄ側が、ベースプレート３２から離れる方向の上方に回動自在となっている。
【０００７】
また、ベースプレート３２上に載置したフィルムシート３２には、スイッチ部が形成され、このスイッチ部上に、ゴム等からなり内部がドーム状に形成された弾性部材３６が取り付けられている。
この弾性部材３６は、頂部３６ａにキートップ（図示せず）が位置決めされて圧入等により取り付け可能になっている。
前記キートップの裏面には、第１レバー３４の第１支持ピン３４ｄを回動自在に支持可能になっていると共に、第２レバー３５のスライド軸３５ｄがスライド自在に支持可能になっている。
【０００８】
そして、第１、第２レバー３４、３５に支持したキートップを押圧操作すると、弾性部材３６が弾性変形すると共に、第１、第２レバー３４、３５が回動して降下する。
このことにより、弾性部材３６のドーム状内部に形成したスイッチ操作部（図示せず）がフィルムシート３３に形成したスイッチ部を押圧して、スイッチ回路が切り換わるようになっている。
また、キートップに加えていた押圧荷重を解除すると、弾性部材３６の付勢力でキートップが上昇して、第１、第２レバー３４、３５が初期状態のパンタグラフ状に自動復帰するようになっている。
【０００９】
【特許文献１】特開平１２−１４８３５６号公報
【発明の開示】
【発明が解決しようとする課題】
【００１０】
しかし、前述したような従来のキーボードスイッチ３１は、修理等で第１、第２レバー３４、３５に支持したキートップを抜去しようとすると、第１レバー３４にネジレ等の外力が加わって、横長の軸部３４ｂが変形、あるいは破損するおそれがあった。このような、第１レバー３４の軸部３４ｂが変形、あるいは破損すると、第１レバー３４がベースプレート３２の第１係合部３２ａから外れて、キートップを水平状態で昇降させることができなる問題があった。
また、第１軸部３４ｂの強度アップのために、第１軸部３４ｂの太さを太くすると、キーボードスイッチ３１の高さ方向が大きくなる問題があった。
本発明は前述したような問題点を解決して、高さ寸法を大きくすることなく、キートップ抜去時の第１レバーに形成した軸部を強度アップすることが可能なキーボードスイッチを提供することを目的とする。
【課題を解決するための手段】
【００１１】
前記課題を解決するための第１の手段として本発明のキーボードスイッチは、ベースプレートと、互いの交叉部位を回動自在に組み合わせた状態でそれぞれの一端部側を前記ベースプレートに支持する第１、第２レバーと、前記第１、第２レバーの前記他端部側に支持されて昇降自在のキートップと、このキートップを上方に弾性付勢する弾性部材とを備え、
前記第１レバーの前記一端部側には、前記ベースプレートに形成した係合部に係合支持可能な横長状の軸部が形成され、前記軸部は、横長方向の両端部が前記第１レバーの一端部側に形成した一対の第１連結部に連結されると共に、少なくとも横長方向の中央部分が前記一端部側に形成した第２連結部に連結されて前記第１レバーに一体化されていることを特徴とする。
また、前記課題を解決するための第２の手段として、前記ベースプレートに形成した前記係合部は、前記第２連結部と前記第１連結部との間に位置する前記軸部の少なくとも２箇所を係合支持可能な形状に形成されていることを特徴とする。
【００１２】
また、前記課題を解決するための第３の手段として、前記第１レバーは、外形が矩形状に形成された支持基部を有し、この支持基部の一端部側と前記第１、第２連結部に連結された前記軸部との間には、前記係合部を挿入して挿通可能な挿通孔が形成されていることを特徴とする。
また、前記課題を解決するための第４の手段として、前記係合部は、前記ベースプレートの一部を切り曲げて一方側が開放された形状で一対形成され、前記挿通孔を前記係合部の開放された一方側から挿通すると、前記軸部が前記一対の係合部の開放部分にそれぞれ係合すると共に、前記一対の係合部間に前記第２連結部が位置して、前記第１レバーの前記横長方向の動きが規制されることを特徴とする。
【発明の効果】
【００１３】
本発明のキーボードスイッチの軸部は、横長方向の両端部が第１レバーの一端部側に形成した一対の第１連結部に連結されると共に、少なくとも横長方向の中央部分が一端部側に形成した第２連結部に連結されて第１レバーに一体化されているので、横長状の軸部を第２連結部で補強することができ、第１レバーにネジレ等の外力が加わったとしても、係合部に係合支持した軸部が変形、または破損したりするのを防止できる。
そのために、本発明のキーボードスイッチを修理あるいは掃除等する時に、キートップを第１、第２レバーから無理なく抜去することができる。
また、ベースプレートに形成した係合部は、第２連結部と第１連結部との間に位置する軸部の少なくとも２箇所を係合支持可能な形状に形成されているので、少なくとも第２連結部に連結された軸部を係合部で確実に係合支持することができる。
【００１４】
また、第１レバーは、外形が矩形状に形成された支持基部を有し、この支持基部の一端部側と前記第１、第２連結部に連結された前記軸部との間には、前記係合部を挿入して挿通可能な挿通孔が形成されているので、ベースプレートに形成した係合部で軸部を確実に係合支持することができる。
【００１５】
また、係合部は、ベースプレートの一部を切り曲げて一方側が開放された形状で一対形成され、挿通孔を係合部の開放された一方側から挿通すると、軸部が一対の係合部の開放部分にそれぞれ係合すると共に、一対の係合部間に第２連結部が位置して、第１レバーの横長方向の動きが規制されるので、組立が容易である共に、第１レバーの横長方向のガタ付きを規制できる。
【発明を実施するための最良の形態】
【００１６】
本発明は、パーソナルコンピュータ等の入出力機器に使用されるキーボード装置等に用いて好適なキーボードスイッチに関し、本発明のキーボードスイッチ１を図１〜図３に基づいて説明する。
図１は本発明に関するキーボードスイッチの分解斜視図であり、図２はキートップを除いた状態の斜視図であり、図３は図２の側面図である。
【００１７】
まず、本発明のキーボードスイッチ１は、図１に示すように、最下部に、所定厚さのアルミ等の金属板からなるベースプレート２が配設され、このベースプレート２には、図示手前側に矩形状の第１抜き孔２ａが形成され、この第１抜き孔２ａの奥部に、寸法Ａの隙間を有して一対の係合部２ｂ、２ｂが所定高さで切り曲げ形成されている。
前記係合部２ｂは、図示手前側の一方側が開放されて、この開放部分に後述する第１レバー４の第１軸部４ｂを係合支持可能になっている。
【００１８】
また、ベースプレート２の奥側には、所定の間隔を有して一対の第２抜き孔２ｃ、２ｃが対称形状に形成され、この第２抜き孔２ｃには、左右側部に係支部２ｄ、２ｄが切り起こし形成され、係支部２ｄが形成された同じ第２抜き孔２ｃの係支部２ｄと対向する側部に、係支部２ｄより奥側に位置ズレして抜け止め部２ｅがそれぞれ切り起こし形成されている。
前記係支部２ｄは、図示奥側が開放された部分に、後述する第２レバー５の第２支持ピン５ｂを係止すると、抜け止め部２ｅで抜け止めされるようになっている。
【００１９】
前記ベースプレート２上には、フィルムシート３が載置され、このフィルムシート３は、３枚のフィルムを積層した状態で、ベース部材２の係合部２ｂが層通可能な第１抜き孔３ａと、係支部２ｄおよび抜け止め部２ｅが層通可能な一対の第２抜き孔３ｂとが形成されている。
前記第１、第２抜き孔３ａ、３ｂ間のフィルムシート３には、スイッチ部（図示せず）が形成され、このスイッチ部上に、内部がドーム状の後述する弾性部材６が配設されている。
また、フィルムシート３上には、パンタグラフ状に組み合わされた第１、第２レバー４、５が配設されている。
【００２０】
前記第１レバー４は、外形が略矩形状に形成された支持基部４ａを有し、この支持基部４ａの図示手前の一端部側に、ベース部材２の係合部２ｂに係合支持可能な軸部４ｂが、図示左右方向の横長状に形成されている。
前記軸部４ｂは、横長方向の両端部が第１連結部４ｃ、４ｃに連結されると共に、中央部が第２連結部４ｄに連結されている。そのために、横長状の軸部４ｂが第２連結部４ｄで補強されて、ベース部材２の係合部２ｂに軸部４ｂを係合支持した状態で、第１レバー４にネジレ等の外力が加わっても、軸部４ｂが変形したり破損したりするのを防止できるようになっている。
前記第２連結部４ｄの幅寸法は、ベースプレート２に形成した一対の係合部２ｂ、２ｂ間の隙間寸法Ａより同等以下に形成されている。
そのために、隙間寸法Ａの一対の係合部２ｂ、２ｂ間に第２連結部４ｄを嵌合させて位置させると、第１レバー４は、軸部４ｂと平行な横長方向の動きが規制されるようになっている。
【００２１】
また、第１レバー４は、支持基部４ａの図示奥の他端部側から一対の第１支持ピン４ｅが図示左右方向に突出形成され、この第１支持ピン４ｅが後述するキートップ７に回動自在に支持可能になっている。
また、支持基部４ａの図示左右の側壁４ｆ、４ｆの略中央部付近には、後述する第２レバー５の嵌合溝からなる交叉部位５ｂに嵌合可能な連結ピンからなる交叉部位４ｇ、４ｇが外向きに突出形成されている。
【００２２】
また、支持基部４ａの略中央部には、後述する弾性部材６が挿通可能な挿通孔４ｈが形成されている。
また、第１、第２連結部４ｃ、４ｄに連結された軸部４ｂと、支持基部４ａの図示手前側の一端部側との間には、ベースプレート２に形成した２つの係合部２ｂ、２ｂを挿入して挿通可能な挿通孔４ｊ、４ｊが形成されている。
そして、切り曲げ形成されて開放された係合部２ｂの一方側に挿通孔４ｊを挿入して挿通すると、軸部４ｂが係合部２ｂに係合支持されるようになっている。
【００２３】
また、第１レバー４の外側には、第１レバー４を囲むような形状に形成された第２レバー５が配設されている。
前記第２レバー５は、第１レバー４の側壁４ｆと対向する外側に一対の腕部５ａ、５ａが形成され、この腕部５ａの長手方向における略中央部に、第１レバー４の交叉部位４ｇが嵌合支持可能な嵌合溝からなる交叉部位５ｂ、５ｂが形成されている。
また、一対の腕部５ａは、図示奥の一端部側に形成した第１桟部５ｃに連結され、この第１桟部５ｃから図示左右の外側に向けて第２支持ピン５ｄが突出形成されている。そして、第２支持ピン５ｄをベースプレート２の係支部２ｄに係支して抜け止め部２ｅで抜け止めした第２レバー５は、第２支持ピン５ｄを支点として回動自在になっている。
【００２４】
また、一対の腕部５ａは、図示手前の他端部側に形成した第２桟部５ｅに連結されて、第２レバー５の外形が矩形状に形成されている。
また、第２桟部５ｅから図示左右の外側に向けてスライド軸５ｆが突出形成され、このスライド軸５ｆが後述するキートップ７にスライド支持可能になっている。そして、第１、第２レバー４、５は、互いの交叉部位４ｇ、５ｂを回動自在に組み合わせて、それぞれの一端部側の軸部４ｃ、第２支持ピン５ｄをベースプレート２に支持することにより、パンタグラフ状になっている。
【００２５】
また、フィルムシート３の第１、第２抜き孔３ａ、３ｂ間に形成されたスイッチ部（図示せず）上には、ゴム等からなる弾性部材６が配設され、この弾性部材６の台座部６ａがフィルムシート３に接着剤等で固着されている。
前記弾性部材６は、内部がドーム状の空洞になっており、頂部６ｂがリング状に形成されて、後述するキートップ７によって頂部６ｂが押圧されると、弾性変形して頂部６ｂ内部に形成したスイッチ操作部（図示せず）がスイッチ部を押圧して、スイッチ回路が切り換わるようになっている。
【００２６】
前記弾性部材６上には、樹脂材料等からなるキートップ７が配設され、このキートップ７は、矩形状の操作面７ａの裏面が弾性部材６の頂部６ｂに圧入等で取り付けられている。
また、操作面７ａの裏面には、第１レバー４の第１支持ピン４ｅを回動自在に支持可能な支持部（図示せず）と、第２レバー５のスライド軸５ｆをスライド自在に支持可能な支持部（図示せず）とが形成されている。
【００２７】
そして、第１、第２レバー４、５の他端部側に形成した第１支持ピン４ｅ、およびスライド軸５ｆをキートップ７の裏面に形成したそれぞれの支持部に支持したキートップ７は、弾性部材６の付勢力で所定高さの初期状態に上昇している。
この時の第１、第２レバー４、５は、キートップ７と共に上昇してパンタグラフ状になっている。
前記初期状態にあるキートップ７の操作面７ａを操作者が押圧操作すると、内部がドーム状の弾性部材６が弾性変形する。この弾性部材６が弾性変形することで、フィルムシート３に形成したスイッチ部が押圧操作されて、スイッチ回路が切り換わるようになっている。
また、キートップ７に加えていた押圧荷重を解除すると、弾性部材６の付勢力によってキートップ７が上昇し、第１、第２レバー４、５が初期状態のパンタグラフ状に自動復帰するようになっている。
【００２８】
このような本発明のキーボードスイッチ１は、第１レバー４の軸部４ｂが、第２連結部４ｄに連結されて補強されているので、例えばフィルムシート３上に侵入したゴミ等を除去するために、第１、第２レバー４、５の、それぞれの他端部に支持したキートップ７を抜去しようとして、第１レバー４にネジレ等の荷重が加わっても、軸部４ｂが変形、あるいは破損したりするのを防止できる。
【００２９】
尚、本発明の実施の形態の説明では、軸部４ｂの中央部を１個の第２連結部４ｄで連結して補強したが、第２連結部４ｄを２箇所形成して、軸部４ｂを２個の第２連結部４ｄ（図示せず）で補強するようにしたものでも良い。
即ち、軸部４ｂは、少なくとも横長方向の中央部分が第２連結部４ｄに連結されて第１レバー４に一体化したものであれば良い。
また、ベースプレート２に形成した係合部２ｂは、第２連結部４ｄと第１連結部４ｃ、４ｃとの間に位置する軸部４ｂの少なくとも２箇所を係合支持するようにしたものであれば良い。
【図面の簡単な説明】
【００３０】
【図１】本発明に関するキーボードスイッチの分解斜視図である。
【図２】本発明のキーボードスイッチのキートップを除いた斜視図である。
【図３】図２の正面図である。
【図４】従来のキーボードスイッチのキートップを除いた斜視図である。
【符号の説明】
【００３１】
１  本発明のキーボードスイッチ
２  ベースプレート
２ｂ  係合部  
３  フィルムシート  
４  第１レバー
４ａ  支持基部
４ｂ  軸部
４ｃ  第１連結部
４ｄ  第２連結部
５  第２レバー
６  弾性部材
７  キートップ
【図１】
2006092995.tif 000003
【図２】
2006092995.tif 000004
【図３】
2006092995.tif 000005
【図４】
2006092995.tif 000006